(57)【要約】【課題】偏向量によるビームスポット形状の不均一を低減してスクリーン全域で最適フォーカスを実現する。【解決手段】電子銃は、カソード、制御電極、加速電極Ｇ２、集束電極Ｇ３および陽極を有する電子銃において、加速電極Ｇ２の電子ビーム通過孔Ｇ２−Ｈを囲んで集束電極Ｇ３側に垂直方向に長軸をもつ縦長スリットＳＬ−Ｖを形成し、集束電極Ｇ３の加速電極Ｇ２側の電子ビーム通過孔Ｇ３−ＢＨを垂直方向に長軸をもつ縦長形状とした。【選択図】　　　　図３
2004095291.tif 000002
【特許請求の範囲】
【請求項１】
内面に蛍光体スクリーンを有するパネル部と、電子銃を収容したネック部と、前記パネル部と前記ネック部とを連接するファンネル部とで構成した真空外囲器と、前記真空外囲器の前記ネック部と前記ファンネル部の連接する領域の外周に設置して前記電子銃から出射する電子ビームを水平方向と垂直方向に偏向するための偏向ヨークをもつカラー陰極線管であって、
前記電子銃は、カソード、制御電極、加速電極、集束電極、および陽極を有し、前記加速電極の電子ビーム通過孔を囲む前記集束電極側に前記垂直方向に長軸をもつ縦長スリットを有し、
前記集束電極の前記加速電極側の電子ビーム通過孔を前記垂直方向に長軸をもつ縦長形状としたことを特徴とするカラー陰極線管。
【請求項２】
前記制御電極の電子ビーム通過孔が前記水平方向に長軸をもつ横長形状であることを特徴とする請求項１に記載のカラー陰極線管。
【請求項３】
前記制御電極の電子ビーム通過孔が前記垂直方向に長軸をもつ縦長形状であることを特徴とする請求項１に記載のカラー陰極線管。
【請求項４】
内面に蛍光体スクリーンを有するパネル部と、電子銃を収容したネック部と、前記パネル部と前記ネック部とを連接するファンネル部とで構成した真空外囲器と、前記真空外囲器の前記ネック部と前記ファンネル部の連接する領域の外周に設置して前記電子銃から出射する電子ビームを水平方向と垂直方向に偏向するための偏向ヨークをもつカラー陰極線管であって、
前記電子銃は、カソード、制御電極、加速電極、集束電極、および陽極を有し、前記集束電極が、第１集束電極と第２集束電極および第３集束電極でプリフォーカスレンズが構成され、前記第３集束電極と前記陽極の間に主フォーカスレンズが形成され、
前記加速電極の電子ビーム通過孔を囲む前記第１集束電極側に前記垂直方向に長軸をもつ縦長スリットを有し、
前記第１集束電極の前記加速電極側の電子ビーム通過孔を前記垂直方向に長軸をもつ縦長形状としたことを特徴とするカラー陰極線管。
【請求項５】
前記加速電極の電子ビーム通過孔を囲む前記第１集束電極側に前記垂直方向に長軸をもつ縦長スリットを有し、
前記第１集束電極の前記加速電極側の電子ビーム通過孔を囲んで前記垂直方向に長軸をもつ縦長スリットを有することを特徴とする請求項４に記載のカラー陰極線管。
【請求項６】
前記制御電極の電子ビーム通過孔が前記水平方向に長軸をもつ横長形状であることを特徴とする請求項４または５に記載のカラー陰極線管。
【請求項７】
前記制御電極の電子ビーム通過孔が前記垂直方向に長軸をもつ縦長形状であることを特徴とする請求項４または５に記載のカラー陰極線管。
【発明の詳細な説明】
【０００１】
【発明の属する技術分野】
本発明は、カラー陰極線管に係り、特に偏向量によるビームスポット形状の不均一を低減してスクリーン全域で最適フォーカスを実現したカラー陰極線管に関する。
【０００２】
【従来の技術】
一般に、カラー陰極線管は、表示部（蛍光体スクリーンまたは画面）を形成するパネル部と、細径のネック部、およびパネル部とネック部を連接する漏斗状のファンネル部とからなる真空外囲器で構成され、パネル部とネック部の連接領域の外周に偏向ヨークが設置されている。画面を構成するパネル部の内面には複数色、通常、赤、緑、青の３色の蛍光体を塗布した蛍光面（蛍光体スクリーン）を有する。所謂シャドウマスク型では、この蛍光体スクリーンに近接して色選択電極としてのシャドウマスクが配置されている。
【０００３】
また、ネック部の内部には通常、前記３色の蛍光体に対応する３本の電子ビームを水平方向に並行に発射する電子銃が収納される。この電子銃から出射される３本の電子ビームをシャドウマスクに形成されたビーム孔を通過することにより蛍光体スクリーンを構成する上記３色の蛍光体のそれぞれに射突させてカラー画像を再現する。
【０００４】
上記ネック部の内部に収納される電子銃は、カソードと、このカソードに近接してインライン配列したセンター電子ビーム通過孔およびサイド電子ビーム通過孔の各３個の電子ビーム通過孔をそれぞれ前記カソードに対向させて持つ制御電極および加速電極とを順次配置した電子ビーム生成部（３極部）と、この電子ビーム生成部で生成した電子ビームを集束し加速するための集束電極および陽極を具備している。
【０００５】
図１０は従来のカラー陰極線管における電子銃の一構成例を説明する模式断面図である。図中、ヒータＨで加熱されるカソードＫと制御電極である第１電極Ｇ１と加速電極である第２電極Ｇ２で電子ビーム生成部（３極部）が構成される。カソードＫで生成した電子は３極部を通って電子ビームＢとなり、第３電極Ｇ３と第４電極Ｇ４および第５電極Ｇ５からなる集束電極で形成されるプリフォーカスレンズを通って、第５電極Ｇ５と陽極である第６電極Ｇ６と間に形成される主フォーカスレンズから蛍光面方向に出射する。なお、ＳＣはシールドカップである。図１０は水平方向（横方向）Ｈに並行に出射される３本の電子ビームの中央ビームに関する垂直方向（縦方向）Ｖの断面を示す。以下の各図でも同様である。
【０００６】
参照符号Ｇ１−Ｈは第１電極Ｇ１の電子ビーム通過孔、Ｇ２−Ｈは第２電極Ｇ２の電子ビーム通過孔、Ｇ３−ＢＨは第３電極Ｇ３の第２電極Ｇ２側すなわち第３電極のボトムに形成された電子ビーム通過孔、Ｇ３−ＴＨは第３電極Ｇ３の第４電極Ｇ４側の電子ビーム通過孔すなわち第３電極トップ電子ビーム通過孔、Ｇ４−Ｈは第４電極Ｇ４の電子ビーム通過孔、Ｇ５−ＢＨは第５電極Ｇ５の第４電極Ｇ４側の電子ビーム通過孔すなわち第５電極ボトム電子ビーム通過孔、Ｇ５−ＴＨは第５電極Ｇ５の第６電極Ｇ６側の電子ビーム通過孔すなわち第５電極トップ電子ビーム通過孔、Ｇ６−ＢＨは第６電極Ｇ５の第５電極Ｇ５側の電子ビーム通過孔すなわち第６電極ボトム電子ビーム通過孔、ＳＣ−ＨはシールドカップＳＣの電子ビーム通過孔である。なお、図１０に示した電子銃はあくまで一例であり、集束電極より陽極に到る電極構成としてはこの他に種々のものがある。
【０００７】
図１１は図１０における第２電極と第３電極の構成を説明する模式平面図である。図１１の（ａ）は第２電極Ｇ２を第１電極Ｇ１側すなわち第２電極のボトム側の平面図、同（ｂ）は第３電極Ｇ３を第２電極Ｇ２側すなわち第３電極のボトム側の平面図である。第２電極Ｇ２のボトムＧ２−Ｂには、電子ビーム通過孔Ｇ２−Ｈを囲んで水平方向に長軸をもつ横長スリットＳＬ−Ｈが形成されている。一方、第３電極Ｇ３のボトムＧ３−Ｂには垂直方向Ｖに長軸を有する縦長の電子ビーム通過孔Ｇ３−ＢＨが形成されている。
【０００８】
また、米国特許第５６００２０１号明細書に記載の電子銃では、第１電極Ｇ１の電子ビーム通過孔が水平方向に長軸を有する横長で、第２電極Ｇ２には、その電子ビーム通過孔を囲んで第１電極Ｇ１側に水平方向に長軸をもつ横長スリットを有し、第３電極Ｇ３のボトムには円形開孔の垂直方向上下に長い開孔を持つ鍵孔形状となっている。なお、第２電極Ｇ２のボトムあるいはトップに電子ビーム通過孔を囲む横長スリットを形成し、これに第３電極Ｇ３のボトムに縦長の電子ビーム通過孔または電子ビーム通過孔を囲む縦長スリットを組み合わせたものも知られている。
【０００９】
【発明が解決しようとする課題】
図１１で説明した第２電極Ｇ２のトップに形成した横長スリットと第３電極Ｇ３のボトムに形成した縦長の電子ビーム通過孔を組合せた電子銃では、蛍光体スクリーンすなわち画面の周辺に横方向に発生するハローの輝度が濃くなり、周辺フォーカスが劣化しているのが観察された。そこで、第２電極Ｇ２のボトムに横長スリットを設けると、上記の画面の周辺における横方向に発生するハローの輝度が薄くなり、周辺フォーカスが向上するのが観察された。
【００１０】
しかし、第１電極Ｇ１側にスリットがあるため、第１電極Ｇ１と第２電極Ｇ２の電子ビーム通過孔間の間隔が大きくなってしまい、画面中央部でのフォーカスが劣化してしまう。さらに、第１電極Ｇ１と第２電極Ｇ２の電子ビーム通過孔間の間隔が大きくなると、フォーカス電圧の電流依存度が大きくなり、低輝度または高輝度でのフォーカスの劣化が大きくなる。これが解決すべき課題の一つとなっていた。
【００１１】
本発明の目的は上記従来の電子銃における上記課題を解決し、画面の全域で良好なフォーカスを実現できる電子銃を備えたカラー陰極線管を提供することにある。
【００１２】
【課題を解決するための手段】
上記目的を達成するため、本発明は、加速電極である第２電極Ｇ２の集束電極（第３電極Ｇ３）側すなわち第２電極トップに、電子ビーム通過孔を囲んで垂直方向に長軸をもつ縦スリットを設けた。そして、第３電極ボトムの電子ビーム通過孔を垂直方向に長軸をもつ縦長形状とした。
【００１３】
また、上記の構成に加えて、第１電極Ｇ１の電子ビーム通過孔を水平方向に長軸をもつ横長形状とし、あるいは第１電極Ｇ１の電子ビーム通過孔を垂直方向に長軸をもつ縦長形状とした。
【００１４】
上記構成としたことにより、画面の全域で良好なフォーカスを実現できる理由について説明する。陰極線管において、電子銃から出射した電子ビームが偏向ヨークで偏向されると、偏向磁界の収差の影響により画面上のビームスポット形状が劣化する。偏向磁界の収差は、特に垂直方向への影響が大きく、また偏向磁界内の電子ビーム径が大きい程、この影響が大きく、画面上のビームスポット形状も大きくなる。したがって、画面周辺で良好なビームスポット形状を得るためには、偏向磁界へ入射する電子ビームの垂直方向径を水平方向径より小さくして偏向磁界収差の電子ビームへの垂直方向の影響を小さくする必要がある。つまり、偏向磁界に入射する電子ビームの断面形状を横長としなければならない。
【００１５】
偏向磁界に入射する電子ビームの断面形状を横長にする手段として、図１０に示した従来の電子銃では、第２電極Ｇ２のトップに電子ビーム通過孔を囲んで横長スリットを設けたり、第３電極Ｇ３のボトム電子ビーム通過孔を縦長とする方法がある。しかし、電流密度の低い電子ビームの周辺部（ビーム断面の外側：ハロー部）のクロスオーバー位置が第２電極Ｇ２よりもカソードＫ側にあるため、上記第２電極Ｇ２のトップに設けた縦長スリットの作用で当該ハロー部の断面は横長となる。しかし、電流密度の高い電子ビームの中央部（ビーム断面の中心部分：コア部）のクロスオーバー位置は第２電極Ｇ２付近または第２電極Ｇ２よりも第３電極Ｇ３側にあるため、第２電極Ｇ２のトップに設けた縦長スリットの横長化の効果はないか、あるいは逆に縦長となるように作用する。そのため、画面周辺で断面縦長の電子ビームのコア部は偏向収差の影響を大きく受けてビームスポットのハロー部の輝度が高くなり、フォーカスが劣化する。
【００１６】
これを解決するため、第２電極Ｇ２のボトムに横長スリットを設け、さらに第３電極Ｇ３のボトムの電子ビーム通過孔を縦長とする試みがなされた。この構造では、第２電極Ｇ２のボトムに設けた横長スリットが電子ビームのコア部断面を横長形状とし、第３電極Ｇ３のボトムの縦長の電子ビーム通過孔がハロー部断面を横長形状とする作用を奏し、偏向磁界内に入射する電子ビームのコア部、ハロー部共にその断面形状を横長にする効果がある。
【００１７】
しかし、第２電極Ｇ２のボトムにスリットを設けると、当該スリットの深さ（厚み方向の落ち込み量）分、第１電極Ｇ１の電子ビーム通過孔Ｇ１−Ｈと第２電極Ｇ２の電子ビーム通過孔Ｇ２−Ｈの間隔が大きくなり、画面中央部分でのビームスポット径が大きくなり、解像度が劣化する。特に、偏向収差の影響を小さくするために電子ビームの垂直方向径を小さくしているので、当該電子ビームのビームスポットの垂直方向径の径が拡大し、画面中央横線表示の解像度が劣化する。さらに、第１電極Ｇ１の電子ビーム通過孔Ｇ１−Ｈと第２電極Ｇ２の電子ビーム通過孔Ｇ２−Ｈの間隔が大きくなると、フォーカス電圧の電流依存性が大きくなり、低輝度または高輝度でのフォーカス劣化が大きくなる。
【００１８】
そこで、第２電極Ｇ２のボトムにスリットを設けず、第２電極Ｇ２のトップに縦長スリットを設ける。これにより、電子ビームのコア部の断面形状を横長とすることができる。さらに、第２電極Ｇ２のボトムにスリットを有しないため第１電極Ｇ１の電子ビーム通過孔Ｇ１−Ｈと第２電極Ｇ２の電子ビーム通過孔Ｇ２−Ｈの間隔を縮小できる。しかし、第２電極Ｇ２のトップに設けた縦長スリットでは画面周辺部でのビームスポットの断面形状は横長にならない。そのため、さらに第３電極Ｇ３のボトムの電子ビーム通過孔を縦長形状とすることで画面周辺部でのビームスポットの断面形状を横長とすることができる。
【００１９】
このように、第２電極Ｇ２のトップの縦長スリットと第３電極Ｇ３のボトムの縦長電子ビーム通過孔を組み合わせることで、偏向磁界内に入射する電子ビームのコア部とハロー部を共に横長断面として画面周辺部でのビームスポット形状の劣化を抑え、さらに第１電極Ｇ１の電子ビーム通過孔Ｇ１−Ｈと第２電極Ｇ２の電子ビーム通過孔Ｇ２−Ｈの間隔の縮小で画面中央部のビームスポット径の劣化が抑制される。
【００２０】
また、第１電極Ｇ１の電子ビーム通過孔Ｇ１−Ｈと第２電極Ｇ２の電子ビーム通過孔Ｇ２−Ｈの間隔が縮小されることで、フォーカス電圧の電流依存性を小さくでき、低輝度または高輝度でのフォーカスが向上できる。さらに、第１電極Ｇ１の電子ビーム通過孔Ｇ１−Ｈと第２電極Ｇ２の電子ビーム通過孔Ｇ２−Ｈの間隔が縮小されることにより、カットオフ電圧の裕度が大きくなり、第２電極Ｇ２と第４電極Ｇ４に印加する電圧（後述するＥＣ２）を小さくすることができるので、第２電極Ｇ２と第３電極Ｇ３間のレンズを強くすることができ、フォーカス特性を向上することができる。
【００２１】
また、第３電極Ｇ３ボトムの電子ビーム通過孔を縦長とする代わりに、第３電極Ｇ３ボトムの電子ビーム通過孔に縦長スリットを設けることでも上記と同様の効果を得ることができる。また、第１電極Ｇ１の電子ビーム通過孔を横長形状として垂直方向のカソードローディングを上げ、画面上のビームスポットの垂直方向径をより縮小し、画面中央横線表示の解像度を向上することができる。また、第１電極Ｇ１の電子ビーム通過孔を縦長とし、偏向磁界内に入射する電子ビームの断面をより横長形状とし、画面周辺でのビームスポットの形状を向上することができる。
【００２２】
なお、本発明は、上記の構成および実施例の構成に限定されるものではなく、本発明の技術的思想を逸脱することなく種々の変形が可能であることは言うまでもない。
【００２３】
【発明の実施の形態】
以下、本発明の実施の形態について、実施例の図面を参照して詳細に説明する。図１は本発明によるカラー陰極線管に備える電子銃の一構成例を説明する模式断面図である。図中、ヒータＨで加熱されるカソードＫと制御電極である第１電極Ｇ１と加速電極である第２電極Ｇ２で電子ビーム生成部（３極部）が構成される。カソードＫで生成した電子は３極部を通って第３電極Ｇ３と第４電極Ｇ４および第５電極Ｇ５からなる集束電極で形成されるプリフォーカスレンズを通り、第５電極Ｇ５と陽極である第６電極Ｇ６と間に形成される主フォーカスレンズから蛍光面方向に出射する。なお、ＳＣはシールドカップである。図１は水平方向（横方向）Ｈに並行に出射される３本の電子ビームの中央ビームに関する垂直方向（縦方向）Ｖの断面を示す。
【００２４】
参照符号Ｇ１−Ｈは第１電極Ｇ１の電子ビーム通過孔、Ｇ２−Ｈは第２電極Ｇ２の電子ビーム通過孔、Ｇ３−ＢＨは第３電極Ｇ３の第２電極Ｇ２側すなわち第３電極のボトムに形成された電子ビーム通過孔、Ｇ３−ＴＨは第３電極Ｇ３の第４電極Ｇ４側の電子ビーム通過孔すなわち第３電極トップ電子ビーム通過孔、Ｇ４−Ｈは第４電極Ｇ４の電子ビーム通過孔、Ｇ５−ＢＨは第５電極Ｇ５の第４電極Ｇ４側の電子ビーム通過孔すなわち第５電極ボトム電子ビーム通過孔、Ｇ５−ＴＨは第５電極Ｇ５の第６電極Ｇ６側の電子ビーム通過孔すなわち第５電極トップ電子ビーム通過孔、Ｇ６−ＢＨは第６電極Ｇ５の第５電極Ｇ５側の電子ビーム通過孔すなわち第６電極ボトム電子ビーム通過孔、ＳＣ−ＨはシールドカップＳＣの電子ビーム通過孔である。また、Ｖｆは第３電極Ｇ３と第５電極Ｇ５に印加されるフォーカス電圧、Ｅｃ１は第１電極Ｇ１に印加される電圧、Ｅｃ２は第２電極Ｇ２と第４電極Ｇ４に印加される電圧、Ｅｂは陽極電圧を示す。
【００２５】
図２は本発明のカラー陰極線管を構成する電子銃の電極構成における電子ビームの軌道を説明する模式図である。図１と同一符号は同一機能部分に対応し、図中の▲１▼〜▲４▼は図３で後述する電子ビームの断面形状に対応する電極の位置を示す。図２において、カソードＫで生成された電子は第１電極Ｇ１→第２電極Ｇ２→第３電極Ｇ３→第４電極Ｇ４を通って図１の第５電極Ｇ５と第６電極Ｇ６の間に形成される主レンズから出射される。
【００２６】
電子ビームは電流密度の高い電子ビームの中央部であるコア部と電流密度の低い電子ビームの周辺部であるハロー部を有し、ビーム断面で見たコア部の外縁をコア部軌道Ｃで示し、同じくビーム断面で見たハロー部の外縁を軌道をハロー部軌道Ｈで示した。コア部は第１電極Ｇ１と第２電極Ｇ２の間にクロスオーバー点Ｐｃを有し、ハロー部は第２電極Ｇ２より第３電極Ｇ３側にクロスオーバー点Ｐｈを有する。スクリーン上においては、コア部は高輝度部分を、ハロー部は低輝度のビームスポットを形成する。
【００２７】
図３は本発明の第１実施例を説明する電子銃の第２電極と第３電極の構成を説明する模式平面図である。図３の（ａ）は第２電極Ｇ２の第３電極Ｇ３側すなわち第２電極のトップ側の平面図、同（ｂ）は第３電極Ｇ３の第２電極Ｇ２側すなわち第３電極のボトム側の平面図である。第２電極Ｇ２のトップＧ２−Ｔには、電子ビーム通過孔Ｇ２−Ｈを囲んで垂直方向に長軸をもつ縦長スリットＳＬ−Ｖが形成されている。一方、第３電極Ｇ３のボトムＧ３−Ｂには垂直方向Ｖに長軸を有する縦長の電子ビーム通過孔Ｇ３−ＢＨが形成されている。
【００２８】
図４は図２に示した各電極の位置における電子ビームの断面形状の説明図である。図４において、Ａは図３で説明した本発明のカラー陰極線管の第１実施例の電極構成とした場合の図２の各位置（▲１▼〜▲４▼）における電子ビームの断面、Ｂは従来のカラー陰極線管の第１例の電子銃の図２の各位置（▲１▼〜▲４▼）における電子ビームの断面、Ｃは従来のカラー陰極線管の第２例の電子銃の図２の各位置（▲１▼〜▲４▼）における電子ビームの断面を示す。なお、図中、電子ビーム断面の実線はコア部、点線はハロー部である。
【００２９】
図４のＡに示したように、図３で説明した第２電極Ｇ２と第３電極Ｇ３の構成により、第１電極Ｇ１のボトムの位置▲１▼および第２電極Ｇ２のボトムの位置▲２▼ではコア部とハロー部は略円形であり、第２電極Ｇ２のトップの位置▲３▼ではコア部とハロー部共に縦長形状となっている。そして、第３電極Ｇ３のボトムの位置▲４▼ではコア部とハロー部共に横長形状となっている。
【００３０】
これに対し、図１１で説明したような第２電極Ｇ２のトップに横長スリットを形成したものと第３電極Ｇ３のボトムに縦長の電子ビーム通過孔を形成したものとの組み合わせでは、図４のＢに示したようになる。すなわち、第１電極Ｇ１のボトムの位置▲１▼および第２電極Ｇ２のボトムの位置▲２▼ではコア部とハロー部は略円形であり、第２電極Ｇ２のトップの位置▲３▼ではコア部とハロー部共に横長形状となっている。そして、第３電極Ｇ３のボトムの位置▲４▼ではコア部は縦長でハロー部は横長形状となっている。この構成では、画面周辺部でのフォーカスが劣化することは前記したとおりである。
【００３１】
また、第２電極Ｇ２のボトムに横長スリットを形成したものと第３電極Ｇ３のボトムに縦長の電子ビーム通過孔を形成したものとの組み合わせでは、図４のＣに示したようになる。すなわち、第１電極Ｇ１のボトムの位置▲１▼ではコア部とハロー部は略円形であるが、第２電極Ｇ２のボトムの位置▲２▼ではコア部とハロー部は共に縦長であり、第２電極Ｇ２のトップの位置▲３▼ではコア部とハロー部共に縦長形状で、第３電極Ｇ３のボトムの位置▲４▼ではコア部とハロー部は共に横長形状となっている。この構成では、第２電極Ｇ２のボトムにスリットを形成したことによる第１電極Ｇ１との間の間隔が大きくなり、前記した電流依存性が高くなってしまう。
【００３２】
以上のことから、第２電極Ｇ２と第３電極Ｇ３を図３で説明した本実施例の構成としたことにより、図４のＡに示したように第３電極Ｇ３のボトムの位置▲４▼でのコア部とハロー部の断面形状が得られ、かつ、第１電極Ｇ１と第２電極Ｇ２の間の間隔を小さくすることができるため、画面の全域で良好なフォーカスが得られる。そして、フォーカス電圧の電流依存性を小さくでき、低輝度または高輝度でのフォーカスが向上できる。さらに、第１電極Ｇ１の電子ビーム通過孔Ｇ１−Ｈと第２電極Ｇ２の電子ビーム通過孔Ｇ２−Ｈの間隔が縮小されることにより、カットオフ電圧の裕度が大きくなり、第２電極Ｇ２と第４電極Ｇ４に印加する電圧（後述するＥＣ２）を小さくすることができるので、第２電極Ｇ２と第３電極Ｇ３間のレンズが強く、フォーカス特性を向上したカラー陰極線管を提供することができる。
【００３３】
図５は本発明の第２実施例を説明する電子銃の第３電極の構成を説明する模式平面図である。本実施例の第２電極Ｇ２は図３と同様で、第３電極Ｇ３のボトムＧ３−Ｂには電子ビーム通過孔Ｇ３−ＢＨを囲んで垂直方向Ｖに長軸を有する縦長のスリットＳＬ−Ｖを形成した。この構成によっても前記第１実施例と同様の効果が得られる。
【００３４】
図６は本発明の第３実施例を説明する電子銃の第３電極の構成を説明する模式平面図である。本実施例の第２電極Ｇ２は図３と同様で、第３電極Ｇ３のボトムＧ３−Ｂには垂直方向Ｖに長軸を有する縦長の鍵穴形状の電子ビーム通過孔Ｇ３−ＢＨを形成した。この構成によっても前記第１実施例と同様の効果が得られる。
【００３５】
図７は本発明の第４実施例を説明する電子銃の第１電極の構成を説明する模式平面図である。本実施例では、第１電極の電子ビーム通過孔を横長とし、これに前記の第１〜第３実施例で説明した第２電極Ｇ２と第３電極Ｇ３の何れかに組み合わせたものである。本実施例によれば、垂直方向のカソードローディングが向上し、ビームスポットの垂直方向径がより縮小され、画面中央横線表示の解像度が向上する。
【００３６】
図８は本発明の第５実施例を説明する電子銃の第１電極の構成を説明する模式平面図である。本実施例では、第１電極の電子ビーム通過孔を縦長とし、これに前記の第１〜第３実施例で説明した第２電極Ｇ２と第３電極Ｇ３の何れかに組み合わせたものである。本実施例によれば、偏向磁界内に入射する電子ビームをより横長形状とすることで、画面周辺部でのビームスポットの形状が向上する。
【００３７】
図９は本発明によるカラー陰極線管の構成例を説明する模式断面図である。図中、パネルＰＮはファンネルＦＮの一端である大径縁と接合し、ファンネルＦＮの漏斗状の漸次径小となる他端はネックＮＣに連接している。内面に異なる発色特性を有する３色の蛍光体（赤、緑、青）を塗布して蛍光体スクリーンＰＰとしたパネルＰＮの外面の曲面は等価曲率半径が例えば８０００ｍｍ〜１００００ｍｍと大きい略平面であり、その内面の曲面の等価曲率半径はガラス外囲器の機械的強度を保持するために外面の等価曲率半径よりも小さくされている。
【００３８】
パネルＰＮの内面の蛍光体スクリーンＰＰに近接して多数のビーム孔を有するシャドウマスクＭＫが配置されている。シャドウマスクＭＫはマスクフレームＦＭに溶接されて懸架機構ＨＳＰでパネルの側壁内面に植立したスタッドＳＤに係止して支持されている。マスクフレームＦＭの電子銃ＧＵＮ側には地磁気等の外部磁気から電子ビーム束Ｂを遮蔽するための磁気シールドＩＳが取付けてある。
【００３９】
ファンネルＦＮの側壁には外部から高電圧（陽極電圧）を導入するためのアノドボタンＡＢが設けてある。パネルＰＮのスカート部とファンネルＦＮの内面およびネックＮＣの電子銃収納部前端の内面にはアノードボタンＡＢと電気的に接続した内部導電膜ＢＤが塗布されている。この内部導電膜ＢＤによりアノードボタンＡＢから印加される高電圧（陽極電圧）を蛍光体スクリーンＰＰと電子銃ＧＵＮの陽極に導入している。
【００４０】
また、ファンネルＦＮのネックＮＣ側（ファンネルＦＮとネックＮＣの遷移領域）には偏向ヨークＤＦが外装され、電子ビーム束Ｂを水平と垂直の２方向に偏向して蛍光体スクリーンＰＰ上に２次元の画像を再現する。そして、ネックＮＣの内部には３本の電子ビームを蛍光体スクリーンＰＰ方向に出射する電子銃ＧＵＮが収納されている。
【００４１】
このように、上記した本発明の各実施例によれば、偏向磁界を通過する電子ビームの蛍光体スクリーン（画面）上でのビームスポット形状を最適化でき、当該蛍光体スクリーン全域で最適フォーカスを実現したカラー陰極線管を得ることができる。
【００４２】
【発明の効果】
以上説明したように、本発明によれば、カソードと制御電極および加速電極からなる３極部を有し、この３極部から蛍光体スクリーン方向に集束電極、陽極を配置してなる電子銃において、加速電極の集束電極側の電子ビーム通過孔を囲んで縦長スリットを形成し、加速電極と対向する集束電極の加速電極側に縦長の電子ビーム通過孔、または電子ビーム通過孔を囲んで縦長スリット、あるいは縦長の鍵穴形状の電子ビーム通過孔を形成したことにより、画面の全域で良好なフォーカスを実現できる電子銃を備えたカラー陰極線管を提供することができる。
【図面の簡単な説明】
【図１】本発明によるカラー陰極線管に備える電子銃の一構成例を説明する模式断面図である。
【図２】本発明のカラー陰極線管を構成する電子銃の電極構成における電子ビームの軌道を説明する模式図である。
【図３】本発明の第１実施例を説明する電子銃の第２電極と第３電極の構成を説明する模式平面図である。
【図４】図２に示した各電極の位置における電子ビームの断面形状の説明図である。
【図５】本発明の第２実施例を説明する電子銃の第３電極の構成を説明する模式平面図である。
【図６】本発明の第３実施例を説明する電子銃の第３電極の構成を説明する模式平面図である。
【図７】本発明の第４実施例を説明する電子銃の第１電極の構成を説明する模式平面図である。
【図８】本発明の第５実施例を説明する電子銃の第１電極の構成を説明する模式平面図である。
【図９】本発明によるカラー陰極線管の構成例を説明する模式断面図である。
【図１０】従来のカラー陰極線管における電子銃の一構成例を説明する模式断面図である。
【図１１】図１０における第２電極と第３電極の構成を説明する模式平面図である。
【符号の説明】
Ｋ・・・・カソード、Ｇ１・・・・第１電極、Ｇ２・・・・第２電極、Ｇ３・・・・第３電極、Ｇ４・・・・第４電極、Ｇ５・・・・第５電極、Ｇ６・・・・第６電極（陽極）、Ｇ１−Ｈ・・・・第１電極Ｇ１の電子ビーム通過孔、Ｇ２−Ｈ・・・・第２電極Ｇ２の電子ビーム通過孔、Ｇ３−ＢＨ・・・・第３電極Ｇ３の第２電極Ｇ２側すなわち第３電極のボトムに形成された電子ビーム通過孔、Ｇ３−ＴＨ・・・・第３電極Ｇ３の第４電極Ｇ４側の電子ビーム通過孔すなわち第３電極トップ電子ビーム通過孔、Ｇ４−Ｈ・・・・第４電極Ｇ４の電子ビーム通過孔、Ｇ５−ＢＨ・・・・第５電極Ｇ５の第４電極Ｇ４側の電子ビーム通過孔すなわち第５電極ボトム電子ビーム通過孔、Ｇ５−ＴＨ・・・・第５電極Ｇ５の第６電極Ｇ６側の電子ビーム通過孔すなわち第５電極トップ電子ビーム通過孔、Ｇ６−ＢＨ・・・・第６電極Ｇ５の第５電極Ｇ５側の電子ビーム通過孔すなわち第６電極ボトム電子ビーム通過孔、ＳＣ−Ｈ・・・・シールドカップＳＣの電子ビーム通過孔、ＳＬ−Ｖ・・・・縦長スリット、Ｇ２−Ｈ・・・・第２電極Ｇ２の電子ビーム通過孔、Ｇ３−ＢＨ・・・・第３電極Ｇ３のボトム側縦長電子ビーム通過孔、Ｖｆ・・・・第３電極Ｇ３と第５電極Ｇ５に印加されるフォーカス電圧、Ｅｃ１・・・・第１電極Ｇ１に印加される電圧、Ｅｃ２・・・・第２電極Ｇ２と第４電極Ｇ４に印加される電圧、Ｅｂ・・・・陽極電圧。
【図１】
2004095291.tif 000003
【図２】
2004095291.tif 000004
【図３】
2004095291.tif 000005
【図４】
2004095291.tif 000006
【図５】
2004095291.tif 000007
【図６】
2004095291.tif 000008
【図７】
2004095291.tif 000009
【図８】
2004095291.tif 000010
【図９】
2004095291.tif 000011
【図１０】
2004095291.tif 000012
【図１１】
2004095291.tif 000013